(57)【要約】【課題】開き戸を戸押側から開ける際に、当該開き戸が今から開くことを戸引側にいる人に知らせることができるようにする。【解決手段】レバーハンドル１１０を備えた開き戸１００は、戸押側に設けられ、人の接近を検知する戸押側人感センサ１１４Ａと、戸引側に設けられ、人の接近を検知する戸引側人感センサ１１４Ａと、戸押側人感センサ及び戸引側人感センサからの検知信号を判定する判定部１１７とを備えている。戸押側及び戸引側の各レバーハンドル１１０には、それぞれ人検知ＬＥＤ１１５が設けられている。判定部１１７は、戸押側人感センサと戸引側人感センサとの双方からの検知信号を受信した場合に、少なくとも戸引側人検知ＬＥＤ１１５を作動する。【選択図】図２
2019173310.tif 000002
【特許請求の範囲】
【請求項１】
戸押側ハンドル及び戸引側ハンドルを備えた開き戸であって、
戸押側に設けられ、人の接近を検知する戸押側人検知手段と、
戸引側に設けられ、人の接近を検知する戸引側人検知手段と、
前記戸押側人検知手段及び戸引側人検知手段からの検知信号を判定する判定手段とを備え、
前記戸押側ハンドル及び戸引側ハンドルには、戸押側光源手段及び戸引側光源手段がそれぞれ設けられており、
前記判定手段は、前記戸押側人検知手段と前記戸引側人検知手段との双方からの検知信号を受信した場合に、少なくとも前記戸引側光源手段を作動する、開き戸。
【請求項２】
請求項１に記載の開き戸において、
前記判定手段は、前記戸押側人検知手段の検知信号を受信し、且つ、前記戸引側人検知手段の検知信号を受信しなかった場合に、前記戸押側光源手段を作動する、開き戸。
【請求項３】
請求項１又は２に記載の開き戸において、
前記戸押側人検知手段は、前記戸押側ハンドルに設けられ、
前記戸引側人検知手段は、前記戸引側ハンドルに設けられている、開き戸。
【請求項４】
請求項１〜３のいずれか１項に記載の開き戸において、
戸押側に設けられ、周囲の照度を検知する照度検知手段をさらに備え、
前記戸押側光源手段は、前記照度検知手段からの検知信号により作動する、開き戸。
【請求項５】
請求項４に記載の開き戸において、
前記判定手段は、前記戸押側人検知手段からの検知信号、前記戸引側人検知手段からの検知信号、及び前記照度検知手段からの検知信号を判定する、開き戸。
【請求項６】
請求項５に記載の開き戸において、
前記判定手段は、前記戸押側人検知手段及び戸引側人検知手段からの検知信号を、前記照度検知手段からの検知信号よりも優先して判定する、開き戸。
【請求項７】
請求項１〜６のいずれか１項に記載の開き戸において、
前記判定手段は、前記戸押側人検知手段からの検知信号を所定の時間を超えて検知しない場合は、前記戸押側光源手段を作動する、開き戸。
【請求項８】
戸押側ハンドル及び戸引側ハンドルを備えた一対のレバーハンドルであって、
前記戸押側ハンドルに設けられ、人の接近を検知する戸押側人検知手段と、
前記戸引側ハンドルに設けられ、人の接近を検知する戸引側人検知手段と、
前記戸押側ハンドル又は前記戸引側ハンドルに設けられ、前記戸押側人検知手段及び戸引側人検知手段からの検知信号を判定する判定手段とを備え、
前記戸押側ハンドルには、戸押側光源手段が設けられ、
前記戸引側ハンドルには、戸引側光源手段が設けられており、
前記判定手段は、前記戸押側人検知手段と前記戸引側人検知手段との双方からの検知信号を受信した場合に、少なくとも前記戸引側光源手段を作動する、レバーハンドル。
【請求項９】
請求項８に記載のレバーハンドルにおいて、
前記判定手段は、前記戸押側人検知手段の検知信号を受信し、且つ、前記戸引側人検知手段の検知信号を受信しなかった場合に、前記戸押側光源手段を作動する、レバーハンドル。
【請求項１０】
請求項８又は９に記載のレバーハンドルにおいて、
前記戸押側ハンドルには、照度を検知する照度検知手段が設けられており、
前記戸押側光源手段は、前記照度検知手段からの検知信号により作動する、レバーハンドル。
【請求項１１】
請求項１０に記載のレバーハンドルにおいて、
前記判定手段は、前記戸押側人検知手段からの検知信号、前記戸引側人検知手段からの検知信号、及び前記照度検知手段からの検知信号を判定する、レバーハンドル。
【請求項１２】
請求項１１に記載のレバーハンドルにおいて、
前記判定手段は、前記戸押側人検知手段及び戸引側人検知手段からの検知信号を、前記照度検知手段からの検知信号よりも優先して判定する、レバーハンドル。
【請求項１３】
請求項８〜１２のいずれか１項に記載のレバーハンドルにおいて、
前記判定手段は、前記戸押側人検知手段からの検知信号を所定の時間を超えて検知しない場合は、前記戸押側光源手段を作動する、レバーハンドル。
【発明の詳細な説明】
【技術分野】
【０００１】
本発明は、開き戸及びレバーハンドルに関し、特に、人感センサが内蔵された開き戸及びレバーハンドルに関する。
【背景技術】
【０００２】
従来、暗闇のなかでもドアの開閉操作を容易に行うことができるように、センサを用いて光源手段を発光させる機能を持たせたドアが知られている（特許文献１を参照。）。特許文献１に記載の発明は、センサの周囲の照度に合わせて光源手段の点灯制御を行っている。これにより、ドアを開ける人のドアへの衝突を防ぎ、また、ドアの開閉の容易性を向上している。
【０００３】
従って、特許文献１に記載の発明は、ドアを開ける際のドアを開閉する人の裏側（戸押側の反対側）にいる他人のことは考えられていない。
【０００４】
また、特許文献２には、ドアに人感センサ及び発光体を設けて、ドアの開閉時における該ドアとその裏側の他人との衝突を回避する技術が開示されている。
【先行技術文献】
【特許文献】
【０００５】
【特許文献１】特開２００８−１６９６２３号公報
【特許文献２】実用新案登録第３１０５４３４号
【発明の概要】
【発明が解決しようとする課題】
【０００６】
しかしながら、特許文献２に記載の技術では、発光体が戸押側に設けられ、人感センサが戸押側の反対側（戸引側）に設けられており、戸引側の他人に当該ドアが開くことを知らせる構成ではない。
【０００７】
本発明は、前記従来の問題を解決し、開き戸を戸押側から開ける際に、当該開き戸が今から開くことを戸引側にいる人に知らせることができるようにすることを目的とする。
【課題を解決するための手段】
【０００８】
前記の目的を達成するため、本発明は、開き戸及びレバーハンドルにおいて、戸押側及び戸引側に人が対峙した場合に、戸引側の人に戸が開くことを光等で知らせる構成とする。
【０００９】
具体的に、本発明は、開き戸及びレバーハンドルを対象とし、次のような解決手段を講じた。
【００１０】
すなわち、第１の発明は、戸押側ハンドル及び戸引側ハンドルを備えた開き戸を対象とし、戸押側に設けられ、人の接近を検知する戸押側人検知手段と、戸引側に設けられ、人の接近を検知する戸引側人検知手段と、戸押側人検知手段及び戸引側人検知手段からの検知信号を判定する判定手段とを備えている。戸押側ハンドル及び戸引側ハンドルには、戸押側光源手段及び戸引側光源手段がそれぞれ設けられている。判定手段は、戸押側人検知手段と戸引側人検知手段との双方からの検知信号を受信した場合に、少なくとも戸引側光源手段を作動する。
【００１１】
これによれば、開き戸が採光部を持たない場合に、すなわち、開き戸の反対側にいる人を確認できない構成の場合に、戸押側の人が開き戸を開ける際に、これとほぼ同時に戸引側にも人がいると、戸引側ハンドルに設けられた戸引側光源手段が点灯するので、戸引側にいる人に該開き戸が今から開くことを知らせることができる。従って、開き戸が不意に開いた場合に、該開き戸の戸引側（反対側）にいる人との衝突を未然に防ぐことができる。
【００１２】
第２の発明は、上記第１の発明において、判定手段は、戸押側人検知手段の検知信号を受信し、且つ、戸引側人検知手段の検知信号を受信しなかった場合に、戸押側光源手段を作動してもよい。
【００１３】
これによれば、戸引側で人を感知せず、戸押側でのみ人を検知した場合には、戸押側の光源手段を作動させることができる。これにより、戸押側の人は反対側の安全を確認でき、安心して開き戸を開けることができる。
【００１４】
第３の発明は、上記第１又は第２の発明において、戸押側人検知手段は戸押側ハンドルに設けられ、戸引側人検知手段は戸引側ハンドルに設けられていてもよい。
【００１５】
これによれば、各検知手段がそれぞれのハンドルに設けられているため、一対のドアハンドルのみで機能を満たすことができるので、開き戸本体に検知手段を設ける際の加工が不要となる。
【００１６】
第４の発明は、上記第１〜第３の発明において、戸押側に設けられ、周囲の照度を検知する照度検知手段をさらに備え、戸押側光源手段は、照度検知手段からの検知信号により作動してもよい。
【００１７】
これによれば、夜間等の屋内が暗い場合に、人が開き戸の戸押側に接近した際に、戸押側光源手段が点灯することにより、開き戸における戸押側ハンドルの把手部の位置が容易に認識できるので、該開き戸の開閉を容易に行うことができる。
【００１８】
第５の発明は、上記第４の発明において、判定手段は、戸押側人検知手段からの検知信号、戸引側人検知手段からの検知信号及び照度検知手段からの検知信号を判定してもよい。
【００１９】
これによれば、戸押側光源手段が、照度検知手段からの検知信号により作動している場合に、戸引側人検知手段が人を検知した際には、戸引側光源手段を点灯して、戸引側にいる人に開扉を知らせることができる。
【００２０】
従って、第６の発明は、上記第５の発明において、判定手段は、戸押側人検知手段及び戸引側人検知手段からの検知信号を、照度検知手段からの検知信号よりも優先して判定することが好ましい。
【００２１】
第７の発明は、上記第１〜第６の発明において、判定手段は、戸押側人検知手段からの検知信号を所定の時間を超えて検知しない場合は、戸引側光源手段を作動してもよい。
【００２２】
これによれば、開き戸の戸引側に人を検知しない場合でも、戸引側光源手段が点灯するため、例えば、戸押側（屋内又は室内）にいるはずの人の安否確認の必要性を外部に知らせることができる。
【００２３】
また、第８の発明は、戸押側ハンドル及び戸引側ハンドルを備えた一対のレバーハンドルを対象とし、戸押側ハンドルに設けられ、人の接近を検知する戸押側人検知手段と、戸引側ハンドルに設けられ、人の接近を検知する戸引側人検知手段と、戸押側ハンドル又は戸引側ハンドルに設けられ、戸押側人検知手段及び戸引側人検知手段からの検知信号を判定する判定手段とを備えている。戸押側ハンドルには、戸押側光源手段が設けられ、戸引側ハンドルには、戸引側光源手段が設けられている。判定手段は、戸押側人検知手段と戸引側人検知手段との双方からの検知信号を受信した場合に、戸引側光源手段のみを作動する。
【００２４】
これによれば、開き戸が採光部を持たない場合に、すなわち、開き戸の反対側にいる人を確認できない構成の場合に、戸押側の人が開き戸を開ける際に、これとほぼ同時に戸引側にも人がいると、戸引側ハンドルに設けられた戸引側光源手段が点灯するので、戸引側にいる人に該開き戸が今から開くことを知らせることができる。従って、開き戸が不意に開いた場合に、該開き戸の戸引側（反対側）にいる人との衝突を未然に防ぐことができる。
【００２５】
第９の発明は、上記第８の発明において、前記判定手段は、前記戸押側人検知手段の検知信号を受信し、且つ、前記戸引側人検知手段の検知信号を受信しなかった場合に、前記戸押側光源手段を作動してもよい。
【００２６】
これによれば、戸押側の人は反対側の安全を確認でき、安心して開き戸をあけることができる。
【００２７】
第１０の発明は、上記第８又は第９の発明において、戸押側ハンドルには、照度を検知する照度検知手段が設けられており、戸押側光源手段は、照度検知手段からの検知信号により作動してもよい。
【００２８】
これによれば、夜間等の屋内が暗い場合に、人が開き戸の戸押側に接近した際に、戸押側ハンドルの戸押側光源手段が点灯することにより、開き戸における戸押側ハンドルの把手部の位置が容易に認識できるので、該開き戸の開閉を容易に行うことができる。
【００２９】
第１１の発明は、上記第１０の発明において、判定手段は、戸押側人検知手段からの検知信号、戸引側人検知手段からの検知信号、及び照度検知手段からの検知信号を判定してもよい。
【００３０】
これによれば、戸押側光源手段が、照度検知手段からの検知信号により作動している場合に、戸引側人検知手段が人を検知した際には、戸引側ハンドルの戸引側光源手段を点灯して、戸引側にいる人に開扉を知らせることができる。
【００３１】
従って、第１２の発明は、上記第１１の発明において、判定手段は、戸押側人検知手段及び戸引側人検知手段からの検知信号を、照度検知手段からの検知信号よりも優先して判定することが好ましい。
【００３２】
第１３の発明は、上記第８〜第１２の発明において、判定手段は、戸押側人検知手段からの検知信号を所定の時間を超えて検知しない場合は、戸引側光源手段を作動してもよい。
【００３３】
これによれば、開き戸の戸引側に人を検知しない場合でも、戸引側ハンドルの戸引側光源手段が点灯するため、例えば、戸押側（屋内又は室内）にいるはずの人の安否確認の必要性を外部に知らせることができる。
【発明の効果】
【００３４】
本発明によれば、開き戸を戸押側から開ける際に、当該開き戸が今から開くことを戸引側にいる人に知らせることができる。
【図面の簡単な説明】
【００３５】
【図１】図１は本発明の一実施形態に係る開き戸の要部を示す分解斜視図である。
【図２】図２は本発明の一実施形態に係る開き戸のレバーハンドルの把手の表側を示す分解透視斜視図である。
【図３】図３は本発明の一実施形態に係る開き戸のレバーハンドルの把手の裏側を示す分解斜視図である。
【図４】図４は本発明の一実施形態に係る開き戸における各種センサ及びＬＥＤの動作（戸の裏側が無人の場合）を模式的に説明する平面図である。
【図５】図５は本発明の一実施形態に係る開き戸における各種センサ及びＬＥＤの動作（戸の裏側が有人の場合）を模式的に説明する平面図である。
【図６】図６は本発明の一実施形態に係る開き戸における各種センサ及びＬＥＤの動作（暗がりで戸の裏側が無人の場合）を模式的に説明する平面図である。
【発明を実施するための形態】
【００３６】
（一実施形態）
本発明の一実施形態について図面を参照しながら説明する。
【００３７】
図１は一実施形態に係る人感センサが内蔵された開き戸を示している。図１に示すように、開き戸１００は、例えば、開き戸本体１０１と、該開き戸本体１０１における戸押側面１０１Ａ及び戸引側面１０１Ｂの対称な位置に取り付けられ、戸先側小口１０１ａにラッチボルト１１２を有するレバーハンドル１１０とを備えている。
【００３８】
図２及び図３に本実施形態に係るレバーハンドル１１０を拡大して示す。図２はレバーハンドル１１０の表側から見た図であり、図３はレバーハンドル１１０の裏側から見た図である。図２及び図３に示すように、レバーハンドル１１０は、ラッチボルト１１２と連動する角軸１１０ａが一体に設けられた基部１１０ｂを有している。レバーハンドル１１０には、例えば、ダイキャスト製の合金を用いることができる。
【００３９】
レバーハンドル１１０の基部１１０ｂには、その表側に窓部１１０ｃが設けられている。基部１１０ｂの内部には、電子回路を搭載する基板１１３が、該窓部１１０ｃと対向するように収容されている。基板１１３の窓部１１０ｃ側には、人感センサ１１４Ａ及び照度センサ１１４Ｂ（以下、人感／照度センサ１１４Ａ、１１４Ｂとも呼ぶ。）、人検知発光ダイオード（ＬＥＤ：Light Emitting Diode）１１５、並びに照明発光ダイオード（ＬＥＤ）１１６が設けられている。
【００４０】
人検知ＬＥＤ１１５は、例えば、赤色ＬＥＤが点灯又は点滅する構成としてもよい。一方、照明ＬＥＤ１１６は、例えば、青色ＬＥＤが点灯（又は点滅）する構成としてもよい。人感／照度センサ１１４Ａ、１１４Ｂには、公知のセンサ類を用いることができる。例えば、人感センサ１１４Ａは、赤外線、超音波又は可視光等を用いるセンサであってもよい。ここでは、人感センサ１１４Ａには、赤外線を用いたセンサが好適である。窓部１１０ｃには、図２に示すように、例えば、半透明樹脂材からなる保護パネル１３０を嵌めている。
【００４１】
また、図３に示すように、基板１１３の裏側には、人感／照度センサ１１４Ａ、１１４Ｂ及び各ＬＥＤ１１５、１１６を駆動する電源となる電池１２０が電池ボックス１２０Ａに収容されて配置されている。例えば、電池１２０及び基板１１３を交換する際には、レバーハンドル１１０の基部１１０ｂに設けられた、把手部分の延伸方向に向かって開口する開口部１１０ｄから行うことができる。開口部１１０ｄは、例えば、レバーハンドル１１０と共色で、樹脂材からなる蓋体１１０ｅにより封止されていてもよい。
【００４２】
さらに、基板１１３の裏側には、例えば、人感センサ１１４Ａからの検知信号と照度センサ１１４Ｂからの検知信号とから、人検知ＬＥＤ１１５と照明ＬＥＤ１１６との点灯を制御する判定部１１７が搭載されていてもよい。なお、人検知ＬＥＤ１１５と照明ＬＥＤ１１６とを１つのＬＥＤで兼用する構成とする場合は、人感センサ１１４Ａからの検知信号を照度センサ１１４Ｂからの検知信号よりも優先するように、判定部１１７を設定することが好ましい。従って、照明ＬＥＤ１１６を人検知ＬＥＤ１１５と兼用させる構成の場合は、先に照明ＬＥＤ１１６が点灯している場合でも、該照明ＬＥＤ１１６を消灯して、人検知ＬＥＤ１１５を点灯又は点滅させることができる。ここで、判定部１１７には、公知のマイクロコンピュータ（マイコン）チップを用いることができる。
【００４３】
また、基板１１３の裏側から取り出され、先端部に端子１２２が設けられた配線１２４は、角軸１１０ａを通って、対をなす他方のレバーハンドル（図示せず）と電気的に接続される。
【００４４】
なお、レバーハンドル１１０の表側に設けた窓部１１０ｃ及び保護パネル１３０は、それらの意匠性を考慮して、また、その機能を損なわない限り、色を含めその形状を任意に設定することができる。また、レバーハンドル１１０自体においても、図１〜図３に示した形状（外形）は一例に過ぎず、レバーハンドルとしての機能を損なわず、且つ、基板１１３及び電池ボックス１２０Ａ等を収容できる限りは、任意の形状とすることができる。
【００４５】
なお、本実施形態においては、戸押し側のレバーハンドル１１０と、戸引側のレバーハンドル（図示せず）とは、電気的に同一の構成（仕様）としている。
【００４６】
また、本実施形態においては、人感／照度センサ１１４Ａ、１１４Ｂ、各ＬＥＤ１１５、１１６、判定部１１７、及び電池１２０を、レバーハンドル１１０の基部１１０ｂの内部に収容しているが、各ＬＥＤ１１５、１１６を除く部品のいずれか又は全てを、開き戸本体１０１における表裏面材の内側に組み込んでもよい。このようにすると、レバーハンドル１１０の基部１１０ｂを、よりコンパクトに形成できるので、当該基部１０１ｂの意匠性を高めることができる。逆に、図２及び図３に示すように、レバーハンドル１１０の基部１１０ｂに上記の全ての電子部品を収容した場合は、メンテナンス性を向上することができる。
【００４７】
例えば、人感／照度センサ１１４Ａ、１１４Ｂを、開き戸本体１０１の表裏面又は表裏面材の内側の任意の位置に設けるようにしてもよい。これにより、使用対象に合わせた位置で人の接近を検知できることにより、開き戸１００を開ける際の安全性を向上させることができる。
【００４８】
（周囲が明るい場合の人感／照度センサ及び各ＬＥＤの動作説明）
図１において、戸押側面１０１Ａを室内（屋内）側とし、戸引側面１０１Ｂを室外（屋外）側とする。
【００４９】
まず、図４に示すように、ある程度の明るさが確保されている室内を想定する。すなわち、この場合は、照度センサ１１４Ｂでは、照度がその検知閾値を上回っている。ここで、室内にいる人２００が開き戸本体１０１の戸押側面１０１Ａに近づくと、レバーハンドル１１０の人感センサ１１４Ａが人２００を検知する。その後、レバーハンドル１１０に手を差し出し、該レバーハンドル１１０を押下しながら、開き戸本体１０１を向こうに押そうとする。
【００５０】
このとき、図４に示すように、戸引側に人がいない場合は、該戸引側のレバーハンドル１１０の人感センサ１１４Ａは人を検知しない。従って、戸引側のレバーハンドル１１０の人検知ＬＥＤ１１５は点灯しない。なお、この場合に、一変形例として、戸押側のレバーハンドル１１０に設けられた人検知ＬＥＤ１１５を点灯する設定としてもよい。さらに、この場合には、戸押側の人検知ＬＥＤ１５４における点灯色を緑色等に設定すると、なお好ましい。このようにすると、戸押側の人２００は安心して開き戸１００を開けることができる。
【００５１】
また、他の変形例として、戸引側のレバーハンドル１１０の人感センサ１１４Ａが人を検知していない場合であっても、戸引側の人検知ＬＥＤ１１５を、例えば赤色に点灯又は点滅させてもよい。このようにすると、戸引側の人感センサ１１４Ａが人を検知するよりも前に、すなわち、開き戸本体１０１から、より離れた位置で戸引側の人検知ＬＥＤ１１５が点灯又は点滅するため、戸押側の人２００は、より一層安心して開き戸本体１０１を開けることができる。但し、いずれの場合も、人感／照度センサ１１４Ａ、１１４Ｂは、スイッチがオン状態である限り、常時起動している。
【００５２】
なお、上記の各変形例における戸押側又は戸引側の人検知ＬＥＤ１１５の消灯動作は、戸押側の人感センサ１１４Ａによる検知信号がオフ状態となった場合に消灯する。
【００５３】
次に、図５に示すように、人２００が開き戸本体１０１の戸押側面１０１Ａに近づき、開き戸本体１０１を押そうとする間に、開き戸本体１０１の戸引側面１０１Ｂに他人２１０が近づいた場合には、戸引側のレバーハンドル１１０の人感センサ１１４Ａがこの他人２１０を検知する。
【００５４】
このとき、レバーハンドル１１０内の判定部１１７は、戸押側面１０１Ａの人感センサ１１４Ａ及び戸引側面１０１Ｂの人感センサ１１４Ａの両方が、開き戸本体１０１の戸押側面１０１Ａにいる人２００と、戸引側面１０１Ｂに立った他人２１０とを同時に検知した場合に、戸引側面１０１Ｂのレバーハンドル１１０の人検知ＬＥＤ１１５を、例えば赤色に点灯又は点滅させる。これにより、開き戸本体１０１の戸引側に立った他人２１０に、該開き戸本体１０１が今から開くであろうことを知らせることができる。これにより、開き戸本体１０１の戸引側に立ち止まった他人２１０が、開き戸本体１０１が不意に開くことによる該開き戸本体１０１との衝突を未然に防ぐことができる。
【００５５】
なお、戸引側の人検知ＬＥＤ１１５が点灯又は点滅している際に、この戸引側の人検知ＬＥＤ１１５と同期して、戸押側の人検知ＬＥＤ１１５においても、人２００へのモニタ用として点灯又は点滅させてもよい。
【００５６】
また、戸引側の人検知ＬＥＤ１１５の消灯動作は、戸押側の人感センサ１１４Ａによる検知信号と、戸引側の人感センサ１１４Ａによる検知信号との論理積（ａｎｄ）が条件であるので、いずれか一方の検知信号がオフ状態となった場合に消灯する。
【００５７】
（人感センサ及び各ＬＥＤの他の使用例）
本実施形態に係るレバーハンドル１１０の他の使用例として、室内にいるはずの人の安否確認用のアラームとして室外又は屋外に知らせることができる例を説明する。
【００５８】
例えば、レバーハンドル１１０に組み込まれた判定部１１７は、戸押側の人感センサ１１４Ａからの人の検知信号を所定の時間を超えて検知しない場合は、戸引側の人検知ＬＥＤ１１５を点灯又は点滅させてもよい。この場合の所定の時間は、例えば１２時間から２４時間程度と、適当な値を設定することができる。この場合には、人検知ＬＥＤ１１５の点滅の間隔を通常よりも短くする等、外部に異常であることを示す点灯動作が好ましい。なお、上記の設定時間は、判定部１１７が戸押側（室内側）の人感センサ１１４Ａからの検知信号を受信しない時間を積算して保持しておけばよい。
【００５９】
（周囲が暗い場合の人感／照度センサ及び各ＬＥＤの動作説明）
次に、室内が暗い場合、具体的には、開き戸本体１０１の戸押側面１０１Ａにおけるレバーハンドル１１０の周囲の照度が所定の設定値（閾値）を下回っている場合に、判定部１１７は、照度センサ１１４Ｂから、照度が閾値を下回ったことを検知する検知信号を受信している。この状態で、図６に示すように、室内にいる人２００が開き戸本体１０１の戸押側面１０１Ａに近づくと、戸押側面１０１Ａにおけるレバーハンドル１１０の人感センサ１１４Ａは、この人２００を検知する。これにより、判定部１１７では、人感センサ１１４Ａによる人の検知と照度センサ１１４Ｂによる照度低下の検知とのａｎｄ条件が成立するため、照明ＬＥＤ１１６に対してオン信号を送信する。このオン信号により、戸押側（室内側）の照明ＬＥＤ１１６が青色に点灯する。
【００６０】
このように、室内が暗い場合に、該室内にいた人２００が開き戸本体１０１を開けようとした際には、該開き戸本体１０１の位置、すなわちレバーハンドル１１０の位置を容易に認識できるので、人２００の開き戸本体１０１への衝突を回避することができる。
【００６１】
また、戸押側のレバーハンドル１１０に設けられた人感／照度センサ１１４Ａ、１１４Ｂと戸引側のレバーハンドル１１０に設けられた人感／照度センサ１１４Ａ、１１４Ｂとは、互いに独立して動作するように設定してもよい。この場合、例えば、戸引側（室外側）の照明ＬＥＤ１１６は、開き戸本体１０１の戸引側に人が接近した際に、その周囲の照度に応じて点灯又は消灯するようにしてもよい。
【００６２】
なお、人検知ＬＥＤ１１５と照明ＬＥＤ１１６とを兼用する構成の場合は、照明ＬＥＤ１１６の点灯時に、室内にいる人２００が開き戸本体１０１を開けようとし、且つ、該開き戸本体１０１の室外側に他人２１０が立ち止まった際に、すなわち、戸押側及び戸引側の双方の人感センサ１１４Ａがそれぞれ人２００、２１０を検知した際に、青色の照明ＬＥＤ１１６に優先して、赤色の人検知ＬＥＤ１１５をオン状態とすればよい。
【産業上の利用可能性】
【００６３】
本発明に係る人感センサが内蔵された開き戸は、該開き戸が今から開くことをその裏側にいる人に知らせることができ、産業上の利用可能性が高い。
【符号の説明】
【００６４】
１００    開き戸
１０１    開き戸本体
１０１Ａ  戸押側面
１０１Ａ  戸引側面
１０１ａ  戸先側小口
１１０    レバーハンドル（戸押側ハンドル／戸引側ハンドル）
１１０ａ  角軸部
１１０ｂ  基部
１１０ｃ  窓部
１１０ｄ  開口部
１１０ｅ  蓋体
１１４Ａ  人感センサ（人検知手段）
１１４Ｂ  照度センサ（照度検知手段）
１１５    人検知発光ダイオード（人検知ＬＥＤ／光源手段）
１１６    照明発光ダイオード（照明ＬＥＤ／光源手段）
１１７    判定部（判定手段）
１２０    電池
１２０Ａ  電池ボックス
１２２    端子
１２４    配線
【図１】
2019173310.tif 000003
【図２】
2019173310.tif 000004
【図３】
2019173310.tif 000005
【図４】
2019173310.tif 000006
【図５】
2019173310.tif 000007
【図６】
2019173310.tif 000008
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
戸押側ハンドル及び戸引側ハンドルを備えた開き戸であって、
戸押側に設けられ、人の接近を検知する戸押側人検知手段と、
前記戸押側人検知手段からの検知信号を判定する判定手段とを備え、
前記戸引側ハンドルには、戸引側光源手段が設けられており、
前記判定手段は、前記戸押側人検知手段からの検知信号を受信した場合に、前記戸引側光源手段のみを作動する、開き戸。
【請求項２】
請求項１に記載の開き戸において、
前記戸押側人検知手段は、前記戸押側ハンドルに設けられている、開き戸。
【請求項３】
請求項１又は２に記載の開き戸において、
前記判定手段は、前記戸押側人検知手段からの検知信号を所定の時間を超えて検知しない場合は、前記戸引側光源手段を作動する、開き戸。
【請求項４】
戸押側ハンドル及び戸引側ハンドルを備えた一対のレバーハンドルであって、
前記戸押側ハンドルに設けられ、人の接近を検知する戸押側人検知手段と、
前記戸押側ハンドル又は前記戸引側ハンドルに設けられ、前記戸押側人検知手段からの検知信号を判定する判定手段とを備え、
前記戸引側ハンドルには、戸引側光源手段が設けられており、
前記判定手段は、前記戸押側人検知手段からの検知信号を受信した場合に、前記戸引側光源手段のみを作動する、レバーハンドル。
【請求項５】
請求項４に記載のレバーハンドルにおいて、
前記判定手段は、前記戸押側人検知手段からの検知信号を所定の時間を超えて検知しない場合は、前記戸引側光源手段を作動する、レバーハンドル。